(57)【要約】【課題】第１の半導体レーザおよび第２の半導体レーザから出射されるレーザ光において偏波面同士がなす角度が０°あるいは９０°からずれている場合でも、ジッタの低減やＲＦ振幅の安定化を図ることのできる光ヘッド装置およびその製造方法を提供すること。【解決手段】光ヘッド装置１において、１／４波長板３０については、遅相軸が第１の半導体レーザ１１の偏波面と第２の半導体レーザ１２の偏波面との中間位置に対して４５°を成す角度位置に配置する。光ヘッド装置１を組み立てる際には、１／４波長板３０、第１の半導体レーザ１１、第２の半導体レーザ１２をフレームに搭載した後、半導体レーザ１１、１２を点灯させて、偏波面の検査を行い、その検査結果に基づいて、遅相軸が半導体レーザ１１、１２の偏波面の中間位置に対して４５°を成すように、１／４波長板３０の角度位置を調整した後、１／４波長板３０を固定する。【選択図】図１
2007257690.tif 000002
【特許請求の範囲】
【請求項１】
第１の半導体レーザと、該第１の半導体レーザよりも短波長のレーザ光を出射する第２の半導体レーザと、信号検出用の受光素子と、前記第１の半導体レーザから出射された第１のレーザ光および前記第２の半導体レーザから出射された第２のレーザ光を光記録媒体に導くとともに、当該光記録媒体からの戻り光を前記受光素子に導く光学系と、該光学系、前記第１の半導体レーザ、前記第２の半導体レーザ、および前記受光素子が搭載された装置フレームとを有し、前記光学系は、前記第１の半導体レーザおよび前記第２の半導体レーザから前記光記録媒体に向かう往路の途中位置に１／４波長板を備えた光ヘッド装置において、
前記第１の半導体レーザの偏波面と前記第２の半導体レーザの偏波面とは、０°あるいは９０°から所定の角度ずれており、
前記１／４波長板は、遅相軸が前記第１の半導体レーザの偏波面と前記第２の半導体レーザの偏波面との中間位置に対して４５°を成す角度位置に配置されていることを特徴とする光ヘッド装置。
【請求項２】
第１の半導体レーザと、該第１の半導体レーザよりも短波長のレーザ光を出射する第２の半導体レーザと、信号検出用の受光素子と、前記第１の半導体レーザから出射された第１のレーザ光および前記第２の半導体レーザから出射された第２のレーザ光を光記録媒体に導くとともに、当該光記録媒体からの戻り光を前記受光素子に導く光学系と、該光学系、前記第１の半導体レーザ、前記第２の半導体レーザ、および前記受光素子が搭載された装置フレームとを有し、前記光学系は、前記第１の半導体レーザおよび前記第２の半導体レーザから前記光記録媒体に向かう往路の途中位置に１／４波長板を備えた光ヘッド装置において、
前記第１の半導体レーザの偏波面と前記第２の半導体レーザの偏波面とは、０°あるいは９０°から所定の角度ずれており、
前記１／４波長板は、前記第１のレーザおよび前記第２のレーザのうち、光ヘッド装置に用いた光学部品の偏光依存性が大きい方のレーザ光を出射する半導体レーザの偏波面に対して４５°を成す角度位置に配置されていることを特徴とする光ヘッド装置。
【請求項３】
請求項１または２において、前記１／４波長板は、前記第１の半導体レーザおよび前記第２の半導体レーザを点灯した状態における偏波面の角度方向に基づいて前記角度位置に配置されていることを特徴とする特徴とする光ヘッド装置。
【請求項４】
請求項１ないし３のいずれかに規定する光ヘッド装置の製造方法において、
前記１／４波長板と、前記第１の半導体レーザまたは／および前記第２の半導体レーザとを前記フレームに搭載した後、前記第１の半導体レーザまたは／および前記第２の半導体レーザを点灯させて偏波面の検査を行い、
当該検査の結果に基づいて、前記１／４波長板を前記フレーム上の前記角度位置に調整した後、前記１／４波長板を前記フレームに固定することを特徴とする光ヘッド装置。
【請求項５】
請求項１ないし３のいずれかに規定する光ヘッド装置の製造方法において、
前記１／４波長板として、当該１／４波長板の前記フレームへの搭載姿勢を規定する基準線に対して遅相軸が成す角度が相違する複数種類の１／４波長板を用意しておき、
前記第１の半導体レーザまたは／および前記第２の半導体レーザを前記フレームに搭載した後、前記第１の半導体レーザまたは／および前記第２の半導体レーザを点灯させて偏波面の検査を行い、
当該検査の結果に基づいて、前記複数種類の１／４波長板のうち最適な１／４波長板を前記基準線に基づいて前記フレーム上の前記角度位置に搭載することを特徴とする光ヘッド装置。
【発明の詳細な説明】
【技術分野】
【０００１】
本発明は、ＣＤやＤＶＤなどの光記録媒体の再生または／および記録に用いられる光ヘッド装置およびその製造方法に関するものである。
【背景技術】
【０００２】
ＣＤやＤＶＤなどといった異なるタイプの光記録媒体の再生または／および記録に用いられる光ヘッド装置では、ＣＤ用の長波長の第１のレーザ光を出射する第１の半導体レーザと、ＤＶＤ用の短波長の第２のレーザ光を出射する第２の半導体レーザとが用いられており、これらの半導体レーザは、信号検出用の受光素子や、第１のレーザ光および第２のレーザ光を光記録媒体に導くとともに、この光記録媒体からの戻り光を受光素子に導く光学系とともに装置フレームに搭載されている。
【０００３】
また、この種の光ヘッド装置では、第１の半導体レーザおよび第２の半導体レーザから光記録媒体に向かう往路の途中位置に１／４波長板を備えた光学系を用い、レーザ光の偏光状態を所望の条件に制御することにより、偏光分離分子素子によって共通の光路から戻り光の分離を可能にした構成が提案されている（特許文献１参照）。
【特許文献１】特開２００２−１２３３７０号公報
【発明の開示】
【発明が解決しようとする課題】
【０００４】
このような１／４波長板を用いた光ヘッド装置では、レーザ光の偏光状態を制御しているため、戻り光が半導体レーザに入射することを制限できるはずであるが、実際には、戻り光が設計値以上に半導体レーザに入射してしまい、ジッタやＲＦ振幅が劣化してしまうという問題点がある。
【０００５】
本願発明者は、かかる問題点を種々、検討したところ、以下の結論に到達した。すなわち、１／４波長板を用いた光ヘッド装置では、第１の半導体レーザおよび第２の半導体レーザから出射されたレーザ光の偏波面同士がなす角度が０°あるいは９０°であることを前提にして１／４波長板の共通化を図っているが、実際に使用される第１の半導体レーザおよび第２の半導体レーザでは、第１のレーザ光および第２のレーザ光の偏波面同士がなす角度が０°あるいは９０°からずれているため、レーザ光の偏光状態を設計通りに制御できていないのである。
【０００６】
以上の問題点に鑑みて、本発明の課題は、第１の半導体レーザおよび第２の半導体レーザから出射されるレーザ光において偏波面同士がなす角度が０°あるいは９０°からずれている場合でも、ジッタの低減やＲＦ振幅の安定化を図ることのできる光ヘッド装置およびその製造方法を提供することにある。
【課題を解決するための手段】
【０００７】
上記課題を解決するために、本発明では、第１の半導体レーザおよび第２の半導体レーザから出射されたレーザ光の偏波面同士がなす角度が０°あるいは９０°からずれていることを前提にして以下の構成を採用したことを特徴とする。
【０００８】
すなわち、本発明では、第１の半導体レーザと、該第１の半導体レーザよりも短波長のレーザ光を出射する第２の半導体レーザと、信号検出用の受光素子と、前記第１の半導体レーザから出射された第１のレーザ光および前記第２の半導体レーザから出射された第２のレーザ光を光記録媒体に導くとともに、当該光記録媒体からの戻り光を前記受光素子に導く光学系と、該光学系、前記第１の半導体レーザ、前記第２の半導体レーザ、および前記受光素子が搭載された装置フレームとを有し、前記光学系は、前記第１の半導体レーザおよび前記第２の半導体レーザから前記光記録媒体に向かう往路の途中位置に１／４波長板を備えた光ヘッド装置において、前記第１の半導体レーザの偏波面と前記第２の半導体レーザの偏波面とは、０°あるいは９０°から所定の角度ずれており、前記１／４波長板は、遅相軸が前記第１の半導体レーザの偏波面と前記第２の半導体レーザの偏波面との中間位置に対して４５°を成す角度位置に配置されていることを特徴とする。
【０００９】
本発明では、第１の半導体レーザの偏波面と前記第２の半導体レーザの偏波面との中間位置に対して遅相軸が４５°を成す角度位置に１／４波長板を配置するため、第１の半導体レーザの偏波面と第２の半導体レーザの偏波面とが成す角度がずれている場合でも、第１のレーザ光および第２のレーザ光の偏光状態を好適に制御できる。それ故、第１のレーザ光および第２のレーザ光のいずれを用いた時でも、ジッタの低減やＲＦ振幅の安定化を図ることができる。
【００１０】
本発明の別の形態では、第１の半導体レーザと、該第１の半導体レーザよりも短波長のレーザ光を出射する第２の半導体レーザと、信号検出用の受光素子と、前記第１の半導体レーザから出射された第１のレーザ光および前記第２の半導体レーザから出射された第２のレーザ光を光記録媒体に導くとともに、当該光記録媒体からの戻り光を前記受光素子に導く光学系と、該光学系、前記第１の半導体レーザ、前記第２の半導体レーザ、および前記受光素子が搭載された装置フレームとを有し、前記光学系は、前記第１の半導体レーザおよび前記第２の半導体レーザから前記光記録媒体に向かう往路の途中位置に１／４波長板を備えた光ヘッド装置において、前記第１の半導体レーザの偏波面と前記第２の半導体レーザの偏波面とは、０°あるいは９０°から所定の角度ずれており、前記１／４波長板は、前記第１のレーザおよび前記第２のレーザのうち、光ヘッド装置に用いた光学部品の偏光依存性が大きい方のレーザ光を出射する半導体レーザの偏波面に対して４５°を成す角度位置に配置されていることを特徴とする。
【００１１】
本発明では、第１の半導体レーザおよび第２の半導体レーザのうち、光ヘッド装置に用いた光学部品の偏光依存性が大きい方のレーザ光を出射する半導体レーザの偏波面に対して遅相軸が４５°を成す角度位置に１／４波長板を配置するため、第１の半導体レーザの偏波面と第２の半導体レーザの偏波面とが成す角度がずれている場合でも、一方の半導体レーザから出射されたレーザ光については偏光状態を確実に制御できる。それ故、一方の半導体レーザから出射されたレーザ光を使用した際のジッタの低減やＲＦ振幅の安定化を図ることができる。また、他方の半導体レーザから出射されたレーザ光については偏光状態を確実に制御できないことになるが、かかるレーザ光については光ヘッド装置に用いた光学部品の偏光依存性が低いので、ジッタやＲＦ振幅が大きく劣化しない。それ故、第１のレーザ光および第２のレーザ光のいずれを用いた時でも、ジッタの低減やＲＦ振幅の安定化を図ることができる。
【００１２】
本発明において、前記１／４波長板は、前記第１の半導体レーザおよび前記第２の半導体レーザを点灯した状態における偏波面の角度方向に基づいて前記角度位置が設定されていることが好ましい。
【００１３】
本発明に係る光ヘッド装置の製造方法においては、前記１／４波長板と、前記第１の半導体レーザまたは／および前記第２の半導体レーザとを前記フレームに搭載した後、前記第１の半導体レーザまたは／および前記第２の半導体レーザを点灯させて偏波面の検査を行い、当該検査の結果に基づいて、前記１／４波長板を前記フレーム上の前記角度位置に調整した後、前記１／４波長板を前記フレームに固定することが好ましい。このように構成すると、第１の半導体レーザおよび第２の半導体レーザの偏光角が半導体レーザ個々でばらついている場合でも、１／４波長板を最適な角度位置に配置できる。
【００１４】
また、本発明に係る光ヘッド装置の製造方法においては、前記１／４波長板として、当該１／４波長板の前記フレームへの搭載姿勢を規定する基準線に対して遅相軸が成す角度が相違する複数種類の１／４波長板を用意しておき、前記第１の半導体レーザまたは／および前記第２の半導体レーザを前記フレームに搭載した後、前記第１の半導体レーザまたは／および前記第２の半導体レーザを点灯させて偏波面の検査を行い、当該検査の結果に基づいて、前記複数種類の１／４波長板のうち最適な１／４波長板を前記基準線に基づいて前記フレーム上の前記角度位置に搭載することが好ましい。このように構成すると、第１の半導体レーザおよび第２の半導体レーザの偏光角が半導体レーザ個々でばらついている場合でも、１／４波長板を最適な角度位置に配置できる。
【発明の効果】
【００１５】
本発明では、第１の半導体レーザおよび第２の半導体レーザから出射されたレーザ光の偏波面同士がなす角度が０°あるいは９０°からずれていることを前提にして、遅相軸が第１の半導体レーザの偏波面と第２の半導体レーザの偏波面との中間位置に対して４５°を成す角度位置に１／４波長板が配置されている構成、あるいは遅相軸が第１の半導体レーザおよび第２の半導体レーザのうち、光ヘッド装置に用いた光学部品の偏光依存性が大きい方のレーザ光を出射する半導体レーザの偏波面に対して遅相軸が４５°を成す角度位置に１／４波長板が配置されている構成を採用している。このため、第１の半導体レーザおよび第２の半導体レーザから出射されたレーザ光の偏波面同士がなす角度が０°あるいは９０°からずれている場合でも、レーザ光の偏光状態を制御できる。従って、戻り光が半導体レーザに入射することを制限でき、ジッタの低減やＲＦ振幅の安定化を図ることができる。
【発明を実施するための最良の形態】
【００１６】
図面を参照して、本発明を適用した光ヘッド装置の一例を説明する。
【００１７】
［光ヘッド装置の構成］
図１（ａ）、（ｂ）、（ｃ）は各々、本発明が適用される光ヘッド装置の光学的構成を模式的に示す説明図である。なお、図１（ａ）では、紙面内の方向で振動するレーザ光を偏光分離面に対してＰ偏光とし、紙面に対して垂直方向に振動するレーザ光を偏光分離面に対してＳ偏光として表わし、図１（ｂ）、（ｃ）でもそれに準じている。
【００１８】
まず、図１（ａ）に示す光ヘッド装置１は、ＣＤ用の長波長（例えば、７８５ｎｍの波長）の第１のレーザ光を出射する第１の半導体レーザ１１と、ＤＶＤ用の短波長（例えば、６５０ｎｍの波長）の第２のレーザ光を出射する第２の半導体レーザ１２とを備えており、第１の半導体レーザ１１と第２の半導体レーザ１２は、ツインレーザ光源１０として一体化されている。ツインレーザ光源１０は、信号検出用の受光素子１３およびモニター用の受光素子１４とともに装置フレーム（図示せず）上に搭載されており、フレーム上には、第１のレーザ光および第２のレーザ光を光記録媒体２に導くとともに、この光記録媒体２からの戻り光を受光素子１３に導く光学系も搭載されている。
【００１９】
本形態において、光学系は、第１の半導体レーザ１１および第２の半導体レーザ１２から光記録媒体２に向かう往路と、光記録媒体２から受光素子に向かう復路とを分離する光路分離素子として、偏光分離プリズム１５を備えており、ツインレーザ光源１０と偏光分離プリズム１５との間には回折素子１７が配置され、受光素子１３と偏光分離プリズム１５との間にはセンサーレンズ１４が配置されている。また、偏光分離プリズム１５から光記録媒体２に向かう光路の途中位置には対物レンズ１８が配置され、この対物レンズ１８には、対物レンズ１８をフォーカシング方向およびトラッキング方向に駆動する対物レンズ駆動機構（図示せず）が構成されている。
【００２０】
また、光学系は、第１の半導体レーザ１１および第２の半導体レーザ１２から光記録媒体２に向かう往路の途中位置（偏光分離プリズム１５と対物レンズ１８との間）に１／４波長板３０を備えている。
【００２１】
このため、第１の半導体レーザ１１および第２の半導体レーザ１２から出射されたＳ偏光のレーザ光は、偏光分離プリズム１５の偏光分離面で大部分が反射された後、対物レンズ１８に向かう途中において１／４波長板３０によって円偏光に変換される。また、光記録媒体２で反射した戻り光は、偏光分離プリズム１５に向かう途中において、１／４波長板３０によって円偏光からＰ偏光に変換される。従って、戻り光の大部分は、偏光分離プリズム１５の偏光分離面を透過して信号検出用の受光素子１３に向かうので、Ｓ偏光のレーザ光が第１の半導体レーザ１１および第２の半導体レーザ１２に入射することがほとんどない。このようにして、ジッタの低減やＲＦ振幅の安定化を図るように設計されている。
【００２２】
次に、図１（ｂ）に示す光ヘッド装置１も、図１（ａ）に示す光ヘッド装置１と同様、ＣＤ用の長波長の第１のレーザ光を出射する第１の半導体レーザ１１と、ＤＶＤ用の短波長の第２のレーザ光を出射する第２の半導体レーザ１２とを備えており、第１の半導体レーザ１１と第２の半導体レーザ１２は、ツインレーザ光源１０として一体化されている。ツインレーザ光源１０は、信号検出用の受光素子１３およびモニター用の受光素子１４とともに装置フレーム（図示せず）上に搭載されており、フレーム上には、第１のレーザ光および第２のレーザ光を光記録媒体２に導くとともに、この光記録媒体２からの戻り光を受光素子１３に導く光学系も搭載されている。
【００２３】
本形態において、光学系は、第１の半導体レーザ１１および第２の半導体レーザ１２から光記録媒体２に向かう往路と、光記録媒体２から受光素子１３に向かう復路とを分離する光路分離素子として、ハーフミラー１６を備えており、ツインレーザ光源１０とハーフミラー１６との間には回折素子１７が配置され、受光素子１３とハーフミラー１６との間にはセンサーレンズ１４が配置されている。また、ハーフミラー１６から光記録媒体２に向かう光路の途中位置には対物レンズ１８が配置され、この対物レンズ１８には、対物レンズ１８をフォーカシング方向およびトラッキング方向に駆動する対物レンズ駆動機構（図示せず）が構成されている。
【００２４】
また、光学系は、第１の半導体レーザ１１および第２の半導体レーザ１２から光記録媒体２に向かう往路の途中位置（ハーフミラー１６とツインレーザ光源１０との間）に１／４波長板３０を備えている。
【００２５】
このため、第１の半導体レーザ１１および第２の半導体レーザ１２から出射されたＳ偏光のレーザ光は、１／４波長板３０によって円偏光に変換された後、ハーフミラー１６で一部が反射されて対物レンズ１８に向かう。また、光記録媒体２で反射した戻り光は、円偏光のまま、ハーフミラー１６を透過して受光素子１３に向かう。また、円偏光のレーザ光は、第１の半導体レーザ１１および第２の半導体レーザ１２に向かう途中において１／４波長板３０によってＰ偏光に変換されるので、Ｓ偏光のレーザ光が第１の半導体レーザ１１および第２の半導体レーザ１２に向かうことはない。このようにして、ジッタの低減やＲＦ振幅の安定化を図るように設計されている。
【００２６】
次に、図１（ｃ）に示す光ヘッド装置１も、図１（ａ）、（ｂ）に示す光ヘッド装置１と同様、ＣＤ用の長波長の第１のレーザ光を出射する第１の半導体レーザ１１と、ＤＶＤ用の短波長の第２のレーザ光を出射する第２の半導体レーザ１２とを備えている。但し、本形態では、図１（ｂ）、（ｃ）に示す光ヘッド装置１と違って、第１の半導体レーザ１１と第２の半導体レーザ１２は、各々別体の単波長レーザ光源として構成されている。このような第１の半導体レーザ１１および第２の半導体レーザ１２は、信号検出用の受光素子１３およびモニター用の受光素子１４とともに装置フレーム（図示せず）上に搭載されており、フレーム上には、第１のレーザ光および第２のレーザ光を光記録媒体２に導くとともに、この光記録媒体２からの戻り光を受光素子１３に導く光学系も搭載されている。
【００２７】
本形態において、光学系は、第１の半導体レーザ１１から光記録媒体２に向かう往路と第２の半導体レーザ１２から光記録媒体２に向かう往路とを合成するとともに、これらの往路から、光記録媒体２から受光素子１３に向かう復路を分離する光路分離素子として、偏光分離プリズム１５を備えており、第１の半導体レーザ１１と偏光分離プリズム１５との間には回折素子１７１および結合レンズ１７３が配置され、第２の半導体レーザ１２と偏光分離プリズム１５との間には回折素子１７２およびハーフミラー１８が配置され、受光素子１３と偏光分離プリズム１５との間にはハーフミラー１８およびセンサーレンズ１４が配置されている。また、偏光分離プリズム１５から光記録媒体２に向かう光路の途中位置には対物レンズ１８が配置され、この対物レンズ１８には、対物レンズ１８をフォーカシング方向およびトラッキング方向に駆動する対物レンズ駆動機構（図示せず）が構成されている。
【００２８】
また、光学系は、第１の半導体レーザ１１および第２の半導体レーザ１２から光記録媒体２に向かう往路の途中位置（偏光分離プリズム１５と対物レンズ１８との間）に１／４波長板３０を備えている。
【００２９】
このため、第１の半導体レーザ１１から出射されたＰ偏光のレーザ光は、偏光分離プリズム１５の偏光分離面で一部が透過した後、対物レンズ１８に向かう途中において、１／４波長板３０によって円偏光に変換される。また、光記録媒体２で反射した戻り光は、偏光分離プリズム１５に向かう途中において、１／４波長板３０によって円偏光からＳ偏光に変換された後、偏光分離プリズム１５の偏光分離面で一部が反射し、ハーフミラー１８およびセンサーレンズ１４を介して受光素子１３に向かう。
【００３０】
一方、第２の半導体レーザ１２から出射されたＳ偏光のレーザ光は、一部がハーフミラー１８で反射された後、偏光分離プリズム１５の偏光分離面で一部が反射された後、対物レンズ１８に向かう途中において、１／４波長板３０によって円偏光に変換される。また、光記録媒体２で反射した戻り光は、偏光分離プリズム１５に向かう途中において、１／４波長板３０によって円偏光からＰ偏光に変換された後、偏光分離プリズム１５の偏光分離面で一部が反射し、ハーフミラー１８およびセンサーレンズ１４を介して受光素子に向かう。従って、Ｐ偏光のレーザ光が第１の半導体レーザ１１に入射することがなく、かつ、Ｓ偏光のレーザ光が第２の半導体レーザ１２に入射することがない。このようにして、ジッタの低減やＲＦ振幅の安定化を図るように設計されている。
【００３１】
［実施の形態１］
図２（ａ）、（ｂ）は、１／４波長板の説明図、および１／４波長板の遅相軸が半導体レーザの偏波面と成す角度と戻り光強度との関係を示す説明図である。図３（ａ）、（ｂ）、（ｃ）は、第１の半導体レーザにおける偏光角の分布を示すグラフ、第２の半導体レーザにおける偏光角の分布を示すグラフ、およびツインレーザ光源の配置を示す説明図である。図４（ａ）、（ｂ）は、本発明を適用した光ヘッド装置における１／４波長板のフレームへの搭載構造を示す説明図である。
【００３２】
図１（ａ）、（ｂ）、（ｃ）に示す光ヘッド装置１において、図２（ａ）に示す１／４波長板３０は、遅相軸３１が第１の半導体レーザ１１の偏波面および第２の半導体レーザ１２の偏波面に対して４５°を成す角度位置に配置されるように設計されており、１／４波長板３０の遅相軸３１と第１の半導体レーザ１１の偏波面および第２の半導体レーザ１２の偏波面とがなす角度が４５°からずれると、図２（ｂ）に示すように、半導体レーザへの戻り光が増大してしまい、ジッタの低減やＲＦ振幅の安定化を図ることができない。
【００３３】
しかしながら、例えば、図１（ａ）、（ｂ）に示す光ヘッド装置１に用いたツインレーザ光源１０は、第１の半導体レーザ１１の偏波面と第２の半導体レーザ１２の偏波面とがなす角度は、０°から角度ずれている。このため、図３（ｃ）に示すようにツインレーザ光源１０を配置した際、第２の半導体レーザ１２の偏波面が原点（偏光角＝９０°）となるように配置しても、第１の半導体レーザ１１の偏波面は、図３（ａ）に示すように、偏光角が原点（９０）から平均で約２０°ずれている。しかも、第１の半導体レーザ１１の偏光角は、図３（ａ）にその分布を示すように、製品毎（半導体レーザ毎）にばらついている。また、第２の半導体レーザ１２の偏光角も、図３（ｂ）にその分布を示すように、製品毎（半導体レーザ毎）にばらついている。
【００３４】
そこで、本形態では、以下の構成を採用する。まず、１／４波長板３０については、設計時に、遅相軸３１が第１の半導体レーザ１１の偏波面と第２の半導体レーザ１２の偏波面との中間位置に対して４５°を成す角度位置に配置する。
【００３５】
また、１／４波長板３０のフレームへの搭載箇所については、１／４波長板３０を光軸周りに回転調整可能な構造を採用する。例えば、図４（ａ）に示すように、フレーム２０において、１／４波長板３０を搭載すべき板状部２１に光透過用の凹部２３を形成するとともに、フレーム２０の壁面に突起２５を設ける。そして、図４（ｂ）に示すように、１／４波長板３０を板状部２１に沿って配置した状態で、ばね性をもった固定板５０の一対の弾性板部５１、５２で１／４波長板３０および板状部２１を挟みこんで１／４波長板３０を板状部２１に弾性をもって固定する。従って、１／４波長板３０の左右両側のうち、一方を下方に押し込むと、１／４波長板３０は突起２５を支点にして光軸周りに回転する。なお、固定板５０の弾性板部５１、５２には光透過穴５８、５９が形成されている。
【００３６】
このような構成を採用した光ヘッド装置１を組み立てるにあたって、本形態では、まず、１／４波長板３０、ツインレーザ光源１０（第１の半導体レーザ１１および第２の半導体レーザ１２）をフレームに搭載した後、第１の半導体レーザ１１および第２の半導体レーザ１２を点灯させて、第１の半導体レーザ１１および第２の半導体レーザ１２の偏波面の検査を行う。
【００３７】
次に、検査の結果に基づいて、遅相軸３１が第１の半導体レーザ１１の偏波面と第２の半導体レーザ１２の偏波面の中間位置に対して４５°を成すように、１／４波長板３０の角度位置を調整した後、１／４波長板３０をフレームに接着剤により固定する。
【００３８】
このように本形態では、１／４波長板３０を遅相軸３１が第１の半導体レーザ１１の偏波面と第２の半導体レーザ１２の偏波面の中間位置に対して４５°を成す角度位置に配置したため、第１の半導体レーザ１１の偏波面と第２の半導体レーザ１２の偏波面とが成す角度が、図３（ａ）、（ｂ）に示すようにずれている場合でも、第１のレーザ光および第２のレーザ光の偏光状態を好適に制御できる。
【００３９】
また、光ヘッド装置１を組み立てる際、ツインレーザ光源１０（第１の半導体レーザ１１および第２の半導体レーザ１２）をフレームに搭載した後、第１の半導体レーザ１１および第２の半導体レーザ１２を点灯させて、第１の半導体レーザ１１および第２の半導体レーザ１２の偏波面の検査を行い、この検査の結果に基づいて、１／４波長板３０の角度位置を調整するため、図３（ａ）、（ｂ）に示すように、フレームに搭載したツインレーザ光源１０毎に第１の半導体レーザ１１および第２の半導体レーザ１２の偏光角がばらついている場合でも、１／４波長板３０を最適な角度位置に配置できる。それ故、製造した光ヘッド装置１のいずれにおいても、第１のレーザ光および第２のレーザ光の偏光状態を好適に制御できる。
【００４０】
よって、図１（ａ）に示す光ヘッド装置１では、Ｐ偏光のレーザ光が第１の半導体レーザ１１および第２の半導体レーザ１２に入射することがほとんどないので、ジッタの低減やＲＦ振幅の安定化を図ることができる。
【００４１】
また、図１（ｂ）に示す光ヘッド装置１では、出射光と同一の直線偏光のレーザ光が第１の半導体レーザ１１および第２の半導体レーザ１２に向かうことがないので、ジッタの低減やＲＦ振幅の安定化を図ることができる。
【００４２】
なお、図１（ｃ）に示す光ヘッド装置１において、単波長レーザである第１の半導体レーザ１１と第２の半導体レーザ１２との間で偏波面同士が成す角度が９０°からずれ、かつ、第の半導体レーザおよび第２の半導体レーザ１２で製品毎に偏光角がずれている場合でも、第１のレーザ光および第２のレーザ光の偏光状態を好適に制御できる。それ故、Ｐ偏光のレーザ光が第１の半導体レーザ１１に入射することがなく、かつ、Ｓ偏光のレーザ光が第２の半導体レーザ１２に入射することがないので、ジッタの低減やＲＦ振幅の安定化を図ることができる。
【００４３】
（実施の形態１の変形例）
図５（ａ）、（ｂ）、（ｃ）は、フレームへの搭載姿勢を規定する基準線に対して遅相軸１が成す角度が相違する複数種類の１／４波長板の説明図である。
【００４４】
上記実施の形態１では、１／４波長板３０を光軸周りに回転調整する構成であったが、図５（ａ）、（ｂ）、（ｃ）に示すように、１／４波長板３０として、１／４波長板３０のフレームへの搭載姿勢を規定する基準線３５に対して遅相軸３１が成す角度が相違する複数種類の１／４波長板３０を用意しておき、ツインレーザ（第１の半導体レーザ１１および第２の半導体レーザ１２）をフレームに搭載した後、第１の半導体レーザ１１および第２の半導体レーザ１２を点灯させて偏波面の検査を行い、その検査結果に基づいて、複数種類の１／４波長板３０のうち最適な１／４波長板３０を選択して基準線３５に基づいてフレーム上に搭載してもよい。
【００４５】
このように構成した場合も、１／４波長板３０の遅相軸３１が第１の半導体レーザ１１の偏波面と第２の半導体レーザ１２の偏波面の中間位置に対して４５°を成すように、１／４波長板３０をフレーム上に固定することができる。それ故、第１の半導体レーザ１１の偏波面と第２の半導体レーザ１２の偏波面とが成す角度が、図３（ａ）、（ｂ）に示すようにずれている場合でも、第１のレーザ光および第２のレーザ光の偏光状態を好適に制御できる。また、光ヘッド装置１を組み立てる際、ツインレーザ光源１０（第１の半導体レーザ１１および第２の半導体レーザ１２）をフレームに搭載した後、第１の半導体レーザ１１および第２の半導体レーザ１２を点灯させて、第１の半導体レーザ１１および第２の半導体レーザ１２の偏波面の検査を行うため、図３（ａ）、（ｂ）に示すように、フレームに搭載したツインレーザ光源１０毎に第１の半導体レーザ１１および第２の半導体レーザ１２の偏光角がばらついている場合でも、１／４波長板３０を最適な角度位置に配置できる。
【００４６】
それ故、図１（ａ）に示す光ヘッド装置１では、Ｐ偏光のレーザ光が第１の半導体レーザ１１および第２の半導体レーザ１２に入射することがほとんどないので、ジッタの低減やＲＦ振幅の安定化を図ることができる。また、図１（ｂ）に示す光ヘッド装置１では、出射光と同一の直線偏光のレーザ光が第１の半導体レーザ１１および第２の半導体レーザ１２に向かうことがないので、ジッタの低減やＲＦ振幅の安定化を図ることができる。さらに、図１（ｃ）に示す光ヘッド装置１において、単波長レーザである第１の半導体レーザ１１と第２の半導体レーザ１２との間で偏波面同士が成す角度が９０°からずれ、かつ、第の半導体レーザおよび第２の半導体レーザ１２で製品毎に偏光角がずれている場合でも、第１のレーザ光および第２のレーザ光の偏光状態を好適に制御できる。それ故、Ｐ偏光のレーザ光が第１の半導体レーザ１１に入射することがなく、かつ、Ｓ偏光のレーザ光が第２の半導体レーザ１２に入射することがないので、ジッタの低減やＲＦ振幅の安定化を図ることができる。
【００４７】
［実施の形態２］
本形態の光ヘッド装置１においては、第１の半導体レーザ１１の偏波面と第２の半導体レーザ１２の偏波面とが０°あるいは９０°から所定の角度ずれている場合には、第１のレーザおよび第２のレーザのうち、光ヘッド装置１に用いた光学部品の偏光依存性が大きい方のレーザ光を出射する半導体レーザの偏波面に対して４５°を成す角度位置に１／４波長板３０を配置する。例えば、第１の半導体レーザ１１および第２の半導体レーザ１２のうち、戻り光の入射の影響を受けやすい方の半導体レーザの偏波面に対して４５°を成す角度位置に１／４波長板３０を配置する。また、図１（ａ）、（ｃ）に示す光ヘッド装置１のように、偏光分離プリズム１５を用いた場合には、その偏光分離膜の特性において、Ｐ偏光とＳ偏光との間で透過・反射率の差が大きい波長のレーザ光を出射する半導体レーザの偏波面に対して４５°を成す角度位置に１／４波長板３０を配置する。このような観点からみた場合、一般的には、第２のレーザ光における偏光依存性が大きいことが多いので、本形態では、第２の半導体レーザ１２の偏波面に対して遅相軸３１が４５°を成す角度位置に１／４波長板３０を配置する。
【００４８】
また、本形態では、１／４波長板３０のフレームへの搭載箇所については、図４（ａ）、（ｂ）を参照して説明したように、固定板５０を用いて１／４波長板３０を光軸周りに回転調整可能な構造を採用する。
【００４９】
このような構成を採用した光ヘッド装置１を組み立てるにあたって、本形態では、まず、１／４波長板３０、ツインレーザ光源１０（図１（ｃ）に示す光ヘッド装置１の場合には第２の半導体レーザ１２）をフレームに搭載した後、第２の半導体レーザ１２を点灯させて、第２の半導体レーザ１２の偏波面の検査を行う。
【００５０】
次に、検査の結果に基づいて、１／４波長板３０の遅相軸３１が第２の半導体レーザ１２の偏波面に対して４５°を成すように、１／４波長板３０の角度位置を調整した後、１／４波長板３０をフレームに接着剤により固定する。
【００５１】
このように本形態では、１／４波長板３０を遅相軸３１が第２の半導体レーザ１２の偏波面に対して４５°を成す角度位置に配置したため、第１の半導体レーザ１１の偏波面と第２の半導体レーザ１２の偏波面とが成す角度が、図３（ａ）、（ｂ）に示すようにずれている場合でも、第２レーザ光の偏光状態を好適に制御できる。
【００５２】
また、光ヘッド装置１を組み立てる際、第２の半導体レーザ１２を点灯させて、第２の半導体レーザ１２の偏波面の検査を行い、この検査の結果に基づいて、１／４波長板３０の角度位置を調整するため、図３（ｂ）に示すように、フレームに搭載した第２の半導体レーザ１２の偏光角がばらついている場合でも、１／４波長板３０を最適な角度位置に配置できる。
【００５３】
なお、本形態では、第１のレーザ光については偏光状態を確実に制御できないことになるが、かかるレーザ光については光ヘッド装置１に用いた光学部品の偏光依存性が低いので、ジッタやＲＦ振幅が多く劣化しない。それ故、第１のレーザ光および第２のレーザ光のいずれを用いた時でも、ジッタの低減やＲＦ振幅の安定化を図ることができる。
【００５４】
（実施の形態２の変形例）
上記実施の形態２では、１／４波長板３０を光軸周りに回転調整する構成であったが、図５（ａ）、（ｂ）、（ｃ）に示すように、１／４波長板３０として、１／４波長板３０のフレームへの搭載姿勢を規定する基準線３５に対して遅相軸３１が成す角度が相違する複数種類の１／４波長板３０を用意しておき、ツインレーザ（（図１（ｃ）に示す光ヘッド装置１の場合には第２の半導体レーザ１２）をフレームに搭載した後、第２の半導体レーザ１２を点灯させて偏波面の検査を行い、その検査結果に基づいて、複数種類の１／４波長板３０のうち最適な１／４波長板３０を選択して基準線３５に基づいてフレーム上に搭載してもよい。
【００５５】
このように構成した場合も、１／４波長板３０を遅相軸３１が第２の半導体レーザ１２の偏波面に対して４５°を成す角度位置に確実に配置できるため、第１の半導体レーザ１１の偏波面と第２の半導体レーザ１２の偏波面とが成す角度が、図３（ａ）、（ｂ）に示すようにずれている場合でも、第２レーザ光の偏光状態を好適に制御できる。
【００５６】
また、光ヘッド装置１を組み立てる際、第２の半導体レーザ１２を点灯させて、第２の半導体レーザ１２の偏波面の検査を行い、この検査の結果に基づいて、最適な１／４波長板３０を選択して用いるため、図３（ｂ）に示すように、フレームに搭載した第２の半導体レーザ１２の偏光角がばらついている場合でも、１／４波長板３０を最適な角度位置に配置できる。
【００５７】
なお、本形態では、第１のレーザ光については偏光状態を確実に制御できないことになるが、かかるレーザ光については光ヘッド装置１に用いた光学部品の偏光依存性が低いので、ジッタやＲＦ振幅が多く劣化しない。それ故、第１のレーザ光および第２のレーザ光のいずれを用いた時でも、ジッタの低減やＲＦ振幅の安定化を図ることができる。
【図面の簡単な説明】
【００５８】
【図１】（ａ）、（ｂ）、（ｃ）は各々、本発明が適用される光ヘッド装置の光学的構成を模式的に示す説明図である。
【図２】（ａ）、（ｂ）は、１／４波長板の説明図、および１／４波長板の遅相軸が半導体レーザの偏波面と成す角度と戻り光強度との関係を示す説明図である。
【図３】（ａ）、（ｂ）、（ｃ）は、第１の半導体レーザにおける偏光角の分布を示すグラフ、第２の半導体レーザにおける偏光角の分布を示すグラフ、およびツインレーザ光源の配置を示す説明図である。
【図４】（ａ）、（ｂ）は、本発明を適用した光ヘッド装置における１／４波長板のフレームへの搭載構造を示す説明図である。
【図５】（ａ）、（ｂ）、（ｃ）は、フレームへの搭載姿勢を規定する基準線に対して遅相軸が成す角度が相違する複数種類の１／４波長板の説明図である。
【符号の説明】
【００５９】
１  光ヘッド装置
２  光記録媒体
１０  ツインレーザ光源
１１  第１の半導体レーザ
１２  第２の半導体レーザ
１３  信号検出用の受光素子
１５  偏光分離プリズム
１８  対物レンズ
２０  フレーム
３０  １／４波長板
３１  １／４波長板の遅相軸
３５  １／４波長板の基準線
５０  固定板
【図１】
2007257690.tif 000003
【図２】
2007257690.tif 000004
【図３】
2007257690.tif 000005
【図４】
2007257690.tif 000006
【図５】
2007257690.tif 000007